(57)【要約】【課題】安価で信頼性の高い接続を実現できる、リアクトルの接続構造を得る。【解決手段】リアクトル本体１のコイル１３を電子回路基板３上に設けられた端子台３ａ、３ｂに接続する構造であって、コイル１３の内側部分および外側部分をそれぞれ端子形状に形成し、そのコイル端子１３ａ、１３ｂを電子回路基板３上の端子台３ａ、３ｂに接続する。【選択図】図１
2013225564.tif 000002
【特許請求の範囲】
【請求項１】
リアクトル本体のコイルを電子回路基板上に設けられた端子台に接続する構造であって、
前記コイルの内側部分および外側部分をそれぞれ端子形状に形成し、そのコイル端子を前記電子回路基板上の端子台に接続する
ことを特徴とするリアクトルの接続構造。
【請求項２】
前記コイルは、板状の導体からなり、
前記コイルの内側部分および外側部分は、それぞれ９０度折り返して上方へ延ばされて端子形状に形成されている
ことを特徴とする請求項１記載のリアクトルの接続構造。
【請求項３】
前記リアクトル本体を放熱構造体に取り付ける取付金具と、
前記電子回路基板を支持する支持金具とを有し、
前記取付金具と前記支持金具とが一体構成されている
ことを特徴とする請求項１記載のリアクトルの接続構造。
【請求項４】
前記リアクトル本体と前記取付金具との間に、前記コイル端子の位置決め用の突起と、該突起の係合穴とが設けられている
ことを特徴とする請求項１〜３のいずれか一項に記載のリアクトルの接続構造。
【発明の詳細な説明】
【技術分野】
【０００１】
本発明は、リアクトルの接続構造に関し、特にリアクトルのコイルを電子回路基板上の端子台に直結接続する接続構造に関するものである。
【背景技術】
【０００２】
複数の発熱半導体素子や、リアクトル等の電気発熱体から構成されるパワー半導体機器においては、発熱部品を外気等で直接冷却することは、塵埃や湿度の影響を受けることになるため、筐体を構成する放熱構造体に上記素子を取付伝熱し、間接的に外気放熱する構成が用いられている。
これらの構成において、小型リアクトルは基板上に搭載し、リアクトルコイル巻線を直接はんだ付けすることで搭載可能であるが、大型リアクトルは重量とともに発熱も大きく、放熱が必要な電機部品であることから、アルミ等からなるヒートシンクへの取付を行うことが実施されてきた。また、リアクトルと他回路との接続方法としては、リアクトルコイル導線に延長リード線を接続し、所定の基板等に配線接続する必要があった。
【０００３】
しかし、パワー半導体素子の小型化・低損失化が実現するに伴い、より小型筐体化が可能となったことから、電機機器の小型化を目的に、リアクトルにおいても低損失化の改善とともに取付構造の改善と低価格化が求められてきた。
【０００４】
このようなリアクトルへの取付スペース改善と低コスト化方法としては、例えば他部品との一体化構造を得る方法が知られている。
【０００５】
例えば、特許文献１に示された構成について説明する。この構造においてはヒューズ基板１７をリアクトル４上に配置し、リアクトル４上の端子台１４から、リジッドな伝導体２４にてヒューズ基板１７に連結する構造をとっている。そして、リアクトル４上にヒューズを配置することで、省スペース化とともに電気ケーブルの廃止による低価格化を行うこととしている。
【先行技術文献】
【特許文献】
【０００６】
【特許文献１】特開平１０−３２１１１７号公報（図２）
【発明の概要】
【発明が解決しようとする課題】
【０００７】
しかし、特許文献１では、リアクトルの端子台とヒューズ基板とをリジッドな伝導体で接続する構成であり、コイルそのものを基板に直結接続する構成とはなっていない。
また、一般的なリアクトル構成として、例えばコア材を外鉄型圧粉材料を用い、コア材磁路形状として円筒形状に成形し、リアクトルコイル材として薄い銅板材にて構成し、電気絶縁保証がされた状態でリアクトル円筒内部に取り付けることが可能な構造を得ることができる。しかし、リアクトル外形が単純化されたとしても、リアクトル重量は大きく、また発熱の放熱構造は必要であることから、リアクトルはアルミ製ヒートシンク等の冷却構造体に取り付ける必要があり、他電子回路への接続においてはリアクトルコイル材の端末を加工し、リード線を圧着接続等にて接続することで実現する方法が一般的であった。
【０００８】
本発明は、上記のような課題を解決するためになされたもので、安価で信頼性の高い接続を実現できる、リアクトルの接続構造を得ることを目的としている。
【課題を解決するための手段】
【０００９】
本発明に係るリアクトルの接続構造は、リアクトル本体のコイルを電子回路基板上に設けられた端子台に接続する構造であって、コイルの内側部分および外側部分をそれぞれ端子形状に形成し、そのコイル端子を電子回路基板上の端子台に接続する構成としたものである。
【発明の効果】
【００１０】
本発明に係るリアクトルの接続構造は、コイルの内側部分および外側部分をそれぞれ端子形状に形成し、そのコイル端子を電子回路基板上の端子台に接続する構成としたので、接続のための中間導体を用いずに、電子回路基板上の端子台にコイル端子を直結接続することができる。したがって、安価で信頼性の高い接続を実現できるという効果がある。
【図面の簡単な説明】
【００１１】
【図１】本発明の実施の形態に係るリアクトルの接続構造を示す概略構成図である。
【図２】リアクトルのコイル端子形状を示す図である。
【図３】リアクトルのコイル端子形状の実施例を示す図である。
【図４】リアクトルの基板支持構造を示す図である。
【発明を実施するための形態】
【００１２】
以下、本発明の実施の形態を図面に基づいて説明する。
【００１３】
図１は、本発明の実施の形態に係るリアクトルの接続構造を示す概略構成図である。
図１において、リアクトル本体１は、例えば外鉄形リアクトルとして構成されており、アルミ製ヒートシンク等からなる放熱構造体２に一部が埋め込まれた構成となっている。このリアクトル本体１は、芯金としてのコア１２を有する取付ボルト１１と、コア１２の外周に配置されたコイル１３と、コア１２及びコイル１３を包含する上型部の外鉄コア１４及び下型部の外鉄コア１５とを備えている。そしてさらに、リアクトル本体１を放熱構造体２に取付ネジ５により取り付けるための取付金具４が設けられている。また、この取付金具４には、取付ボルト１１によりリアクトル本体１が取り付けられている。したがって、取付金具４は、リアクトル本体１と放熱構造体２とを共に取り付けるものである。
なお、リアクトル本体１は、外鉄形リアクトルの構成に限られるものではなく、内鉄形リアクトルとして構成されてもよい。
【００１４】
リアクトル本体１の上方には、電子回路基板３が配置されている。そして、電子回路基板３は、上記の取付金具４と一体に形成された支持金具６によって支持されている。つまり、本例では、取付金具４は支持金具６を兼用する取付部材となっている。このように、取付金具４と支持金具６とを一体に構成することにより、部品点数が少なくなるので、コスト低減に寄与する。もちろん、取付金具４と支持金具６とを別体に構成しても良い。
【００１５】
図２は、リアクトルのコイル端子形状を示す図である。図２に示すように、コイル１３の内側部分と外側部分をそれぞれ上方へ延ばしてコイル端子形状に形成し、コイル端子１３ａ、１３ｂとして形成している。すなわち、コイル１３は、例えば薄い銅板材の導体を所要回数円筒状に巻いて形成したものであり、その内側部分と外側部分を各リード部分としてその根元を９０度に折り返すことで、上方へ延ばし、さらに、上型部の外鉄コア１４を貫通させ、先端部分を電子回路基板３上に設けられた端子台３ａ、３ｂに接続できるように端子形状に形成したものである。なお、コイル端子１３ａ、１３ｂのリード部分が外鉄コア１４を貫通する部分にはそれぞれ短絡を防止するために電気絶縁物１６が設けられている。また、コイル端子１３ａ、１３ｂのリード部分と電子回路基板３との間も電気的に絶縁されている。
【００１６】
図３は、コイル端子１３ａ、１３ｂとしての端子形状の実施例を示す図で、図３（Ａ）はネジ穴１３ｃを設けた例を示し、図３（Ｂ）はＵ字型のネジ穴１３ｄを設けた例を示すものである。これらのネジ穴１３ｃまたは１３ｄを利用して、コイル端子１３ａ、１３ｂを電子回路基板３上の端子台３ａ、３ｂにネジ締めで接続することができる。なお、ネジ穴１３ｃにバーリング加工を施し、ねじを切ることも可能である。
【００１７】
以上のように、放熱構造体２に、リアクトル本体１を埋込み的に取付し、リアクトルコイル導体からなるコイル１３に接続端子形状を直接形成し、電子回路基板３上の端子台３ａ、３ｂにコイル端子１３ａ、１３ｂを最短にて、つまり中間導体を用いずに、接続することを可能としたものである。
したがって、電子回路基板３の直下にリアクトル本体１を配置することにより、電子回路基板３とリアクトル本体１間を近接配置することが可能となり、製品投影面積の縮小化によって省スペース化が可能になる。また、電磁性ノイズの輻射ノイズを低減するための電流ループ面積の縮小を得ることも容易に実現できる。
また、ネジ締め応力を支持する支持構造として、リアクトル本体１を放熱構造体２に取り付ける取付金具４と、電子回路基板３を支持する支持金具６とを一体構成とすることにより、安価な支持構造が得られる。
【００１８】
図４は、リアクトルの基板支持構造を示す図で、電子回路基板３を取り外した状態のリアクトル本体１の上面図である。
図４に示すように、リアクトル本体１の取付金具４に位置決め用の穴（係合穴）７を設け、この係合穴７に係合する突起８を外鉄コア１４に設ける。
このように構成することにより、リアクトル本体１から引き出されるコイル端子１３ａ、１３ｂの位置と、取付金具４で支持される電子回路基板３上の端子台３ａ、３ｂの位置とが合致するため、端子台３ａ、３ｂへのコイル端子１３ａ、１３ｂの接続作業性が向上する。
なお、本実施例では突起８と係合穴７とによりコイル端子１３ａ、１３ｂの位置決めを示したが、位置決めできる方法であればこれに限るものではない。
【符号の説明】
【００１９】
１  リアクトル本体、２  放熱構造体、３  電子回路基板、３ａ、３ｂ  端子台、４  取付金具、５  取付ネジ、６  支持金具、７  係合穴、８  突起、１１  取付ボルト、１２  コア、１３  コイル、１３ａ、１３ｂ  コイル端子、１３ｃ、１３ｄ  ネジ穴、１４  外鉄コア、１５  外鉄コア、１６  電気絶縁物。
【図１】
2013225564.tif 000003
【図２】
2013225564.tif 000004
【図３】
2013225564.tif 000005
【図４】
2013225564.tif 000006